(57)【要約】【課題】    被加熱物を加熱する必要が生じた場合には燃料を燃焼させることで被加熱物を加熱することに用いることができるベンチを提供する。【解決手段】燃料を燃焼させる燃焼空間の上方にて被加熱物を支持する支持手段を有し、設置面に載置されるカマド部分と、設置面に対し所定の回動軸の周りに正逆両方向に回動可能に配設され、座面を形成する座面部分であって、設置面に対し該回動軸の周りに正方向に回動させると第１の回動位置において更なる正方向への回動が禁止され、第１の回動位置において設置面に対し略平行な上面である座面を形成すると共に、カマド部分の上面の少なくとも一部である覆い領域を上方から覆うものであり、第１の回動位置から逆方向に回動させることで覆い領域の少なくとも一部を上方に露出させることができる座面部分と、を備えてなる、ベンチである。【選択図】  図１
0003124946.tif 000002
【実用新案登録請求の範囲】
【請求項１】
設置面に載置され、座面に腰掛けることができるベンチであって、
燃料を燃焼させる燃焼空間の上方にて被加熱物を支持する支持手段を有し、設置面に載置されるカマド部分と、
設置面に対し所定の回動軸の周りに正逆両方向に回動可能に配設され、座面を形成する座面部分であって、設置面に対し該回動軸の周りに正方向に回動させると第１の回動位置において更なる正方向への回動が禁止され、第１の回動位置において設置面に対し略平行な上面である座面を形成すると共に、カマド部分の上面の少なくとも一部である覆い領域を上方から覆うものであり、第１の回動位置から逆方向に回動させることで覆い領域の少なくとも一部を上方に露出させることができる座面部分と、
を備えてなる、ベンチ。
【請求項２】
第１の回動位置において更なる正方向への座面部分の回動が、座面部分がカマド部分に当接することにより禁止されるものである、請求項１に記載のベンチ。
【請求項３】
座面部分が、第１の回動位置において下面である座面部分下面を有するものであり、
第１の回動位置においてカマド部分の上面と座面部分下面とが当接することで、更なる正方向への座面部分の回動が禁止されるものである、請求項２に記載のベンチ。
【請求項４】
座面部分を、設置面に対し前記回動軸の周りに逆方向に回動させると第２の回動位置において更なる逆方向への回動が禁止され、第２の回動位置において設置面に対し略平行な平面の少なくとも一部に沿った載置面を形成するものである、請求項１乃至３のいずれか１に記載のベンチ。
【請求項５】
前記載置面が、連続した一平面を構成するものである、請求項４に記載のベンチ。
【請求項６】
座面部分が、座面から突出するように形成された突出部分を有するものであり、突出部分が前記第２の回動位置において設置面に当接することで前記第２の回動位置において更なる逆方向への回動が禁止されるものである、請求項４又は５に記載のベンチ。
【請求項７】
突出部分が、第１の回動位置において設置面に略平行な棒状部分を有するものである、請求項６に記載のベンチ。
【請求項８】
覆い領域がカマド部分の上面の全部である、請求項１乃至７のいずれか１に記載のベンチ。
【請求項９】
座面部分を第１の回動位置から逆方向に回動させることで覆い領域の全部を上方に露出させることができる、請求項１乃至８のいずれか１に記載のベンチ。
【請求項１０】
カマド部分と座面部分とを含んでなる、請求項１乃至９のいずれか１に記載のベンチを形成するための製作セット。
【考案の詳細な説明】
【技術分野】
【０００１】
本考案は、ベンチに関し、より詳細には、通常はベンチとして腰掛け使用することができ、食物や飲料水を加熱し調理する等のように被加熱物を加熱する必要が生じた場合には、カマドのように燃料を燃焼させることで被加熱物を加熱することに用いることができるベンチに関する。
【背景技術】
【０００２】
これまでのベンチは、公園、鉄道の駅、散歩道等に設置され、ベンチの設置面（例えば、公園等では土表面、鉄道の駅ではプラットホームのコンクリート面、建物内では床面等）に脚が固定され、座面に腰掛けることで使用されてきた（例えば、特許文献１参照）。
特許文献１には、「主として駅のプラットホームをはじめとする待合わせコーナー等に設置されて使用され、上部に広告が掲出されてなるベンチ（休憩用椅子）に関」（特許文献１の段落番号０００１）し、「ポスター広告、すなわち印刷物による広告を可能とすることで、比較的短期間で、比較的多数の広告の入替えができ、ナショナルクライアントや短期集中宣伝にも対応可能な広告枠付きベンチ」（特許文献１の段落番号０００４）とすべく考案された、「駅のプラットホーム等に設置されるベンチであって、背もたれより上部に、前面に開口した枠体が設けられ、この枠体の開口を閉じるよう前記枠体に、透明な表面板が設けられ、この表面板の背面に、広告ポスターが重ね合わされて設けられることを特徴とする広告枠付きベンチ」（特許文献１の請求項１）が開示されており、これによって「広告の入替えが容易なポスター広告を容易に行うことができるので、比較的短期間で、比較的多数の広告の入替えができ、ナショナルクライアントや短期集中宣伝にも対応可能」（特許文献１の段落番号００１８）にベンチをすることができるという効果を奏するものである。
【０００３】
【特許文献１】登録実用新案第３０５９０９０号公報（考案の詳細な説明の段落番号０００１、０００４、００１８、請求項１、第１図等）
【考案の開示】
【考案が解決しようとする課題】
【０００４】
特許文献１に記載のベンチによれば、「広告の入替えが容易なポスター広告を容易に行うことができるので、比較的短期間で、比較的多数の広告の入替えができ、ナショナルクライアントや短期集中宣伝にも対応可能」（特許文献１の段落番号００１８）であるので効果的な広告を行いつつ、ベンチの利用者はこれに腰掛け休息をとることができる。
しかしながら、食物や飲料水を加熱し調理する等のように被加熱物を加熱する必要が生じたとき、特許文献１に記載のベンチのような従来のベンチは何ら役立つものではなかった。例えば、地震災害時のように電気や（燃料）ガス（例えば、燃料用のプロパンガスや都市ガス等）の供給ラインが断たれたときや、キャンプ場等において電気や（燃料）ガスを用いることができないとき等に、手軽に入手できる木ぎれや紙屑を燃焼させ、従来から知られているカマドのように、被加熱物を加熱することに用いることができるベンチはこれまでなかった。
【０００５】
そこで、本考案では、通常は従来のベンチと同様に腰掛け使用することができ、食物や飲料水を加熱し調理する等のように被加熱物を加熱する必要が生じた場合には、カマドのように燃料を燃焼させることで被加熱物を加熱することに用いることができるベンチを提供することを目的とする。
【課題を解決するための手段】
【０００６】
本考案のベンチ（以下、「本ベンチ」という。）は、設置面に載置され、座面に腰掛けることができるベンチであって、燃料を燃焼させる燃焼空間の上方にて被加熱物を支持する支持手段を有し、設置面に載置されるカマド部分と、設置面に対し所定の回動軸の周りに正逆両方向に回動可能に配設され、座面を形成する座面部分であって、設置面に対し該回動軸の周りに正方向に回動させると第１の回動位置において更なる正方向への回動が禁止され、第１の回動位置において設置面に対し略平行な上面である座面を形成すると共に、カマド部分の上面の少なくとも一部である覆い領域を上方から覆うものであり、第１の回動位置から逆方向に回動させることで覆い領域の少なくとも一部を上方に露出させることができる座面部分と、を備えてなる、ベンチである。
【０００７】
本ベンチは、従来のベンチと同様、設置面（例えば、公園等では土表面、鉄道の駅ではプラットホームのコンクリート面、建物内では床面等）に載置され、座面に腰掛け休養をとることができるベンチである。
本ベンチは、カマド部分と座面部分とを備えてなる。
カマド部分は、設置面に載置され、燃焼空間の上方にて被加熱物を支持する支持手段を有する。燃焼空間では、木ぎれ、紙屑、可燃物ゴミ、燃料油、燃料ガス等のような燃料を燃焼させることで、燃焼熱を生成させる。被加熱物は、本ベンチの使用者が加熱を必要とする物であり、具体的には、食物（野菜、食肉、魚介類等）、食物や飲料水を収容した器（例えば、鍋、フライパン、やかん等）等を例示することができる。支持手段は、燃焼空間内で燃料が燃焼することで生じた燃焼熱によって被加熱物が加熱されるよう、燃焼空間の上方にて被加熱物を支持することができるものであればいかなるものであってもよく、何ら限定されるものではないが、通常、被加熱物を支持する支持面と、該支持面を載置面に対して支持する支持部分と、を有してなる。
座面部分は、設置面に対し所定の回動軸の周りに正逆両方向に回動可能に配設され、正方向には第１の回動位置まで回動させることができるが、第１の回動位置から更に正方向への回動は禁止される（第１の回動位置が正方向への回動の限界である。）。この第１の回動位置においては、座面部分は、設置面に対し略平行な上面である座面を形成すると共に、カマド部分の上面の少なくとも一部である覆い領域を上方から覆う。なお、ここにいう「カマド部分の上面」とは、カマド部分を平面視（設置面に対して垂直上方から垂直下方を見たとき）にて見たときに現れる面をいう。また、座面部分が「覆い領域を上方から覆う」とは、平面視（設置面に対して垂直上方から垂直下方を見たとき）にて覆い領域に該当する位置に座面部分が存在して見えることをいう。そして、座面部分を、この第１の回動位置から逆方向に回動させることで覆い領域の少なくとも一部を上方に露出させることができる。なお、ここにいう「覆い領域の少なくとも一部を上方に露出させる」とは、平面視において覆い領域に該当する位置の少なくとも一部から座面部分が存在しなくなることをいう。
かかる本ベンチにおいては、食物や飲料水を加熱し調理する等のように被加熱物を加熱する必要が生じていない場合には、座面部分を設置面に対し該回動軸の周りに正方向に回動させ第１の回動位置とする。こうすれば座面部分は、第１の回動位置において設置面に対し略平行な上面である座面を形成する（第１の回動位置においては更なる正方向への回動が禁止されるので、第１の回動位置において設置面に対し略平行な上面である座面が保持される。）と共に、カマド部分の上面の少なくとも一部である覆い領域を上方から覆うため、本ベンチの使用者が座面に腰掛け休養をとることができると共に、座面部分が覆い領域を上方から覆うのでカマド部分の上面が本ベンチの使用者の目に触れにくくなり無粋な感じを受けにくくすることができる。一方、食物や飲料水を加熱し調理する等のように被加熱物を加熱する必要が生じた場合には、座面部分を第１の回動位置から逆方向に回動させることで覆い領域の少なくとも一部を上方に露出させ、燃焼空間の上方にて被加熱物を支持手段によって支持させ、燃焼空間内で燃料を燃焼させることで被加熱物を加熱することができる。
このように本ベンチは、座面部分を第１の回動位置とすれば従来のベンチと同様に腰掛け使用することができ、食物や飲料水を加熱し調理する等のように被加熱物を加熱する必要が生じた場合には、座面部分を第１の回動位置から逆方向に回動させ、カマドのように燃料を燃焼させることで被加熱物を加熱することに用いることができる。
【０００８】
第１の回動位置において更なる正方向への座面部分の回動が、座面部分がカマド部分に当接することにより禁止されるもの（以下、「当接回動禁止ベンチ」という。）であってもよい。
座面部分を設置面に対し該回動軸の周りに正方向に回動させた際に第１の回動位置において更なる正方向への回動が禁止されるようにするには、様々な方法が用いられてよいが、第１の回動位置において座面部分がカマド部分に当接することにより更なる正方向への回動が禁止されるようにしてもよく、こうすることで座面部分とカマド部分との当接という簡単な構成により確実に第１の回動位置において更なる正方向への座面部分の回動を禁止することができる。
【０００９】
当接回動禁止ベンチの場合、座面部分が、第１の回動位置において下面である座面部分下面を有するものであり、第１の回動位置においてカマド部分の上面と座面部分下面とが当接することで、更なる正方向への座面部分の回動が禁止されるものであってもよい。
ここにいう「カマド部分の上面」とは、上述したと同様、カマド部分を平面視（設置面に対して垂直上方から垂直下方を見たとき）にて見たときに現れる面をいう。また、座面部分下面とは、第１の回動位置にある座面部分が有する下面（設置面に対して垂直下方から垂直上方を見たときに見える面）をいう。このように第１の回動位置においてカマド部分の上面と座面部分下面とが面と面によって当接し、更なる正方向への座面部分の回動が禁止されるようにすれば、安定した状態でより確実に第１の回動位置において更なる正方向への座面部分の回動を禁止することができる。
【００１０】
座面部分を、設置面に対し前記回動軸の周りに逆方向に回動させると第２の回動位置において更なる逆方向への回動が禁止され、第２の回動位置において設置面に対し略平行な平面の少なくとも一部に沿った載置面を形成するもの（以下、「載置面形成ベンチ」という。）であってもよい。
こうすることで座面部分を設置面に対し前記回動軸の周りに逆方向（即ち、第１の回動位置とは反対方向）に回動させ更なる逆方向への回動が禁止される第２の回動位置において、座面部分が載置面を形成する。該載置面は、設置面に対し略平行な平面の少なくとも一部に沿っているので、種々の物（例えば、被加熱物や、被加熱物が食物（野菜、食肉、魚介類等）や飲料水を含む場合には、これら食物や飲料水を収容する食器（例えば、茶碗やコップ等）等を例示できる。）を載置できるので本ベンチを便利に使用できる。
なお、「設置面に対し略平行な平面の少なくとも一部に沿った載置面」とは、設置面に対し略平行な平面（仮想上の平面）に属する直線上に存する２点と、該平面に存しかつ該直線上に存在しない１点と、の少なくとも３点が載置面に属することをいう。
【００１１】
載置面形成ベンチの場合、前記載置面が、連続した一平面を構成するものであってもよい。
このように載置面が、連続した一平面を構成すれば、載置面に種々の物を載置する場合に安定的かつ確実に載置できるので、本ベンチを一層便利に使用できる。
【００１２】
載置面形成ベンチの場合、座面部分が、座面から突出するように形成された突出部分を有するものであり、突出部分が前記第２の回動位置において設置面に当接することで前記第２の回動位置において更なる逆方向への回動が禁止されるもの（以下、「突出部分保有ベンチ」という。）であってもよい。
座面部分を設置面に対し前記回動軸の周りに逆方向に回動させると第２の回動位置において更なる逆方向への回動が禁止されるようにするには、様々な方法が用いられてよいが、座面部分が有する、座面から突出するように形成された突出部分が、第２の回動位置において設置面に当接することにより第２の回動位置において更なる逆方向への回動が禁止されるようにしてもよく、こうすることで座面部分が有する突出部分と設置面との当接という簡単な構成により確実に第２の回動位置において更なる逆方向への回動を禁止することができる。
【００１３】
突出部分保有ベンチの場合、突出部分が、第１の回動位置において設置面に略平行な棒状部分を有するものであってもよい。
こうすることで突出部分が有する棒状部分を種々の目的に使用することができ、本ベンチを一層便利に使用できる。棒状部分は、第１の回動位置において設置面に略平行な棒状の部分であるので、座面に腰掛ける際の持ち手としたり、座面に腰掛けた人が立ち上がる際の持ち手としたり、さらには座面に座り棒状部分を用いて種々の運動を行うこともできる（例えば、棒状部分に足を引っかけ、座面に座った状態で腹筋運動を行うことも可能である。）。
【００１４】
覆い領域がカマド部分の上面の全部であってもよい。
座面部分が覆い領域を上方から覆うことでカマド部分の上面が本ベンチの使用者の目に触れにくくなり無粋な感じを受けにくくするには、カマド部分の上面の少なくとも一部である覆い領域はカマド部分の上面のできる限り多くの割合であることが好ましく、覆い領域をカマド部分の上面の全部とすれば、カマド部分の上面が本ベンチの使用者の目に極めて触れにくくなり無粋な感じを受けることを一層有効に防止することができる。
【００１５】
座面部分を第１の回動位置から逆方向に回動させることで覆い領域の全部を上方に露出させることができるものであってもよい。
第１の回動位置から座面部分を逆方向に回動させることで上方に露出させることができる覆い領域は、できる限り広い方が、食物や飲料水を加熱し調理する等のように被加熱物を加熱する必要が生じた場合に使い勝手がよい。このため座面部分を第１の回動位置から逆方向に回動させることで覆い領域の全部を上方に露出させることができるようにすれば、本ベンチを用いて被加熱物を加熱することを容易かつ便利に行うことができる。
【００１６】
本ベンチは、完成品として製作、流通及び販売等がされてもよいが、本ベンチの設置場所にて組立等できるよう、カマド部分と座面部分とを含んでなる本ベンチを形成するための製作セットとして製作、流通及び販売等がされてもよい。
【考案を実施するための最良の形態】
【００１７】
本考案の実施の形態を図面を参照して詳述するが、本考案はこれに限定されるものではない。
【００１８】
図１は、一例の本考案のベンチ（本ベンチ）１１を示す斜視図であり、図２は本ベンチ１１を示す平面図（図１中、矢印Ａ方向から見たところを示している。）及び右側面図（図１及び図２（ａ）中、矢印Ｂ方向から見たところを示している。なお、理解を容易にするため、一部地中の状態を示している。）であり（具体的には、図２（ａ）は平面図であり、図２（ｂ）は右側面図である。）、図３は本ベンチ１１を示す正面図（図２（ａ）中、矢印Ｃ方向から見たところを示している。なお、理解を容易にするため、図３中に矢印Ａ及び矢印Ｂの方向を示し、一部地中の状態を示している。）である。図１乃至図３を参照して、本ベンチ１１について説明する。
本ベンチ１１は、大まかには、カマド部分２１とテーブル座面変化部分５１とを備えてなり、ここでは公園の土表面９１（設置面）に設置されたものである。
【００１９】
カマド部分２１は、耐火レンガや耐火コンクリートを用いて土表面９１から上方に突出するように形成されたカマド本体部分３１と、カマド本体部分３１の内部に形成された燃焼空間３３ａ、３３ｂの上方に架け渡された複数の支持棒４５ａ、４５ｂと、を含んでなる。
【００２０】
カマド本体部分３１は、前面に開口３２ａ、３２ｂを有する有底無蓋の略直方体形状をしており、具体的には、土表面９１から土中に所定の深さまで埋設された基礎板状部３５（特に、図３を参照されたい。基礎板状部３５の上面３５ａは略長方形をしており、上面３５ａは土表面９１に略平行かつ土表面９１よりもやや上方に位置するよう埋設されている。）と、基礎板状部３５の上面３５ａが形成する該略長方形の短辺にそれらの主表面が略平行になるように基礎板状部３５に取り付けられた第１側壁部３７ａ、第２側壁部３７ｂ及び第３側壁部３７ｃと、第１側壁部３７ａ、第２側壁部３７ｂ及び第３側壁部３７ｃを後面側にて連結するよう基礎板状部３５に取り付けられた後壁部３９と、を有してなる。ここに第１側壁部３７ａ、第２側壁部３７ｂ及び第３側壁部３７ｃは互いに略平行であり、第１側壁部３７ａ、第２側壁部３７ｂ及び第３側壁部３７ｃと基礎板状部３５とは略垂直であり、第１側壁部３７ａ、第２側壁部３７ｂ及び第３側壁部３７ｃと後壁部３９とは略垂直であり、後壁部３９と基礎板状部３５とは略垂直である。また、第１側壁部３７ａの上面、第２側壁部３７ｂの上面、第３側壁部３７ｃの上面及び後壁部３９の上面いずれも、土表面９１と略平行な一平面（想像上の一平面であり、図示していない。）に略属している。このようにして第１側壁部３７ａ、第２側壁部３７ｂ、基礎板状部３５及び後壁部３９により燃焼空間３３ａが形成され、第２側壁部３７ｂ、第３側壁部３７ｃ、基礎板状部３５及び後壁部３９により燃焼空間３３ｂが形成されている。
【００２１】
支持棒４５ａ、４５ｂは、支持棒本体４５ａ１、４５ｂ１と、支持棒取付部４５ａ２、４５ｂ２と、を有してなる。支持棒本体４５ａ１、４５ｂ１は、複数本の鋼製の丸棒により形成されており、支持棒本体４５ａ１、４５ｂ１のいずれも長手方向が、基礎板状部３５の上面３５ａが形成する該略長方形の長辺に略平行に配置されている。また、支持棒本体４５ａ１、４５ｂ１のいずれも土表面９１と略平行な一平面（想像上の一平面であり、図示していない。）に略属するよう配設されている。そして、支持棒取付部４５ａ２、４５ｂ２は、等辺山形鋼（長手方向に対して垂直な断面がアルファベットの「Ｌ」の字の形状をした棒状鋼材である形鋼により形成されている。）により形成されており、支持棒本体４５ａ１、４５ｂ１の両端部分を固定（溶接）すると共に、カマド本体部分３１の所定位置に支持棒４５ａ、４５ｂを取り付けている。支持棒４５ａ、４５ｂは、カマド本体部分３１の上部に配設されており、支持棒本体４５ａ１、４５ｂ１の下方には燃焼空間３３ａ、３３ｂが形成されている（第１側壁部３７ａ、第２側壁部３７ｂ、基礎板状部３５、後壁部３９及び支持棒４５ａにより燃焼空間３３ａが形成され、第２側壁部３７ｂ、第３側壁部３７ｃ、基礎板状部３５、後壁部３９及び支持棒４５ｂにより燃焼空間３３ｂが形成されている。）。具体的には、複数の支持棒本体４５ａ１は互いに略平行になるように一対の支持棒取付部４５ａ２を介して第１側壁部３７ａと第２側壁部３７ｂとに両端が固定されており、同様に、複数の支持棒本体４５ｂ１は互いに略平行になるように一対の支持棒取付部４５ｂ２を介して第２側壁部３７ｂと第３側壁部３７ｃとに両端が固定されている。
このようなカマド部分２１は、屋外にて調理（例えば、バーベキュー、飯盒炊さん、キャンプ）等行うために従来からカマド装置として知られており、従来のカマド装置と同様、支持棒４５ａ、４５ｂ（支持棒本体４５ａ１、４５ｂ１）の上に鍋ややかん等を載置し、燃焼空間３３ａ、３３ｂにて木ぎれ、紙屑、木炭等を燃焼させることで、これら鍋ややかん等を加熱することができる。
【００２２】
テーブル座面変化部分５１は、第１固定柱５３と、第２固定柱５５と、第１固定柱５３と第２固定柱５５とに固定された取付棒５７と、取付棒５７を中心として回動自在に固定された座面本体部５９と、座面本体部５９に固定された突出棒５８と、を含んでなる。
【００２３】
第１固定柱５３は、土中に埋設された第１固定柱基礎部５３ａと、第１固定柱基礎部５３ａに下端が取り付けられ上端が土表面９１から上方に突出する第１固定柱柱部５３ｂと、を有してなる。
第２固定柱５５は、土中に埋設された第２固定柱基礎部５５ａと、第２固定柱基礎部５５ａに下端が取り付けられ上端が土表面９１から上方に突出する第２固定柱柱部５５ｂと、を有してなる。
第１固定柱柱部５３ｂ及び第２固定柱柱部５５ｂのいずれも、長手方向が土表面９１に対して略垂直になるように配設されている（該長手方向がほぼ鉛直方向を向いている。）。
取付棒５７は、表面に錆止め加工が施された真っ直ぐな鋼製の丸棒によって構成されており、取付棒５７の長手方向が土表面９１に対して略平行になるよう両端が第１固定柱５３及び第２固定柱５５に固定されている（取付棒５７の長手方向は、ここでは略水平になっている。）。そして、取付棒５７の長手方向は、基礎板状部３５の上面３５ａが形成する該略長方形の短辺に対して略平行になっている。
【００２４】
座面本体部５９は、両主表面とも略長方形をしたアルミニウム製の板状部材により形成されたテーブル部材５９ａと、テーブル部材５９ａの主表面が形成する略長方形の一短辺の両端に取り付けられ取付棒５７に遊びをもって外嵌（遊嵌）された環状の回動部材５９ｃ１、５９ｃ２（特に、図２（ａ）参照）と、テーブル部材５９ａの両主表面のうち一方の主表面にほぼ隙間無く貼着固定された複数の座面形成帯材５９ｂ（ここでは木製。後述の図６及び図７も参照されたい。）と、を有してなる。
取付棒５７に遊びをもって外嵌（遊嵌）された環状の回動部材５９ｃ１、５９ｃ２は、取付棒５７の周りに自由に回動することができるので、それに伴い、座面本体部５９は、取付棒５７を中心として回動自在に支持されている。
【００２５】
突出棒５８は、「コ」の字状に曲げられた鋼製のパイプにより形成されており、座面本体部５９の座面形成帯材５９ｂの表面から突出するように座面形成帯材５９ｂに両端が固定されている。突出棒５８は真っ直ぐ（線分に沿ってのびる）な中心部分５８ａを有しており、中心部分５８ａは取付棒５７と略平行になっている。このため、突出棒５８の中心部分５８ａは、座面本体部５９が取付棒５７を中心として回動しても、取付棒５７の長手方向が土表面９１に対して略平行であるので、中心部分５８ａも常に土表面９１に対して略平行な状態を保つ。
また、図１乃至図３においては、突出棒５８（中心部分５８ａ）が土表面９１に当接することで座面本体部５９が支持されており、かかる状態では、座面本体部５９は、回動部材５９ｃ１、５９ｃ２を介して取付棒５７により支持されると共に、突出棒５８を介して土表面９１に支持されて安定した状態になっている。この図１乃至図３に示した状態では、テーブル部材５９ａの上面（複数の座面形成帯材５９ｂが貼着された主表面とは反対の主表面である。以下、座面形成帯材５９ｂが貼着された主表面とは反対の主表面を「テーブル面」という。）は土表面９１に対して略平行になるようされている。
【００２６】
このような図１乃至図３に示すような状態においては、図４に示すように、本ベンチ１１を使用することができる。なお、図４中では、これまで図１乃至図３中で用いた参照番号をそのまま使用している（なお、図５以降も同様である）。
図示しない食物を内部に収容した鍋９３ａ、９３ｂが、支持棒４５ａ、４５ｂ（支持棒本体４５ａ１、４５ｂ１）の上に載置されている。開口３２ａ、３２ｂから燃焼空間３３ａ、３３ｂに木ぎれ９５ａ、９５ｂが装入されており、該装入された木ぎれ９５ａ、９５ｂに点火され、木ぎれ９５ａ、９５ｂが燃焼している。これにより燃焼空間３３ａ、３３ｂにて生成した熱が支持棒本体４５ａ１、４５ｂ１同士の間に形成された隙間を通過し、鍋９３ａ、９３ｂに到達することで鍋９３ａ、９３ｂが加熱されている。
一方、テーブル部材５９ａの上面（テーブル面）は土表面９１に対して略平行な水平面を形成しており、テーブル部材５９ａの上面（テーブル面）には皿９７ａやコップ９７ｂ等が安定して載置されている。
従って、鍋９３ａ、９３ｂを加熱し、鍋９３ａ、９３ｂの内部に収容された食物を加熱調理した後、テーブル部材５９ａの上面（テーブル面）に載置された皿９７ａやコップ９７ｂ等を用い、テーブル部材５９ａの上面（テーブル面）をテーブルとして使用し、これら加熱調理した食物等を食することができる。
【００２７】
そして、図１乃至図３に示した状態から、座面本体部５９は取付棒５７を中心として回動させることができる。この回動の様子を図５及び図６に示した。
まず、図１乃至図３に示した状態の本ベンチ１１の座面本体部５９を、図５に示すように本ベンチ１１の使用者９９が手で把持し（ここでは主として突出棒５８に力を加えている。）、座面本体部５９を取付棒５７を中心に回動させている。
図６は、図５からさらに座面本体部５９を取付棒５７を中心に回動させたところを示している。
そして、図７に示すように、テーブル面（テーブル部材５９ａの両主表面のうち複数の座面形成帯材５９ｂが貼着された主表面とは反対の主表面）が、第１側壁部３７ａの上面、第２側壁部３７ｂの上面、第３側壁部３７ｃの上面及び後壁部３９の上面に当接するまで回動される。
【００２８】
図７に示す状態の本ベンチ１１は、従来から用いられてきたベンチと同様、座面Ｐ（複数の座面形成帯材５９ｂが形成する上面）に腰掛けることができるし、さらに図７に示すように本ベンチ１１の使用者９９は、突出棒５８の中心部分５８ａに足を引っかけ、座面Ｐに座った状態で腹筋運動を行うことも可能である。なお、上述した通り図７に示す状態の本ベンチ１１においては、突出棒５８の中心部分５８ａは、土表面９１に対して略平行であるので、座面Ｐに腰掛ける際の持ち手としたり、座面Ｐに腰掛けた人が立ち上がる際の持ち手としたり、さらに図７に示した腹筋運動とは異なる種々の運動を行うために用いることもできる。
【００２９】
また、本ベンチ１１は、図７に示した状態（以下、「ベンチ状態」という。）と、図１乃至図４に示した状態（以下、「カマド状態」という。）と、を図６及び図５の状態を経て自由に変化させることができ、通常のベンチのように腰掛け使用したり運動補助具として用いたい場合にはベンチ状態にしておき、鍋ややかん等のような被加熱物を加熱するために用いたい場合にはカマド状態にすることができる。従って、本ベンチ１１は、通常のときはベンチ状態にしておき腰掛け使用したり運動補助具として用い、災害時や非常時のように電気やガス（例えば、プロパンガスや都市ガス等）の供給が断たれたときにはカマド状態にして食物を調理したり飲料水を加熱するために用いるようにすることもできる（このようにすれば本ベンチ１１は、ベンチ状態における外観は従来のベンチと同様であるが、災害時や非常時においてはカマド状態にして食物を調理したり飲料水を加熱することができる。このため本ベンチ１１を用いることにより、災害時や非常時において食物を調理したり飲料水を加熱するために用いる装置を別個に準備しておく必要がなくなるので、該装置を準備する費用を削減することができると共に、該装置を配置するスペースを設ける必要がなくなり省スペースにも資することができる。）。
【００３０】
以上のように、本ベンチ１１は、設置面たる土表面９１に載置され、座面Ｐ（図７参照）に腰掛けることができるベンチであって、燃料たる木ぎれ９５ａ、９５ｂを燃焼させる燃焼空間３３ａ、３３ｂの上方にて被加熱物たる鍋９３ａ、９３ｂを支持する支持手段たる支持棒４５ａ、４５ｂを有し、設置面（土表面９１）に載置されるカマド部分２１と、設置面（土表面９１）に対し所定の回動軸（ここでは取付棒５７）の周りに正逆両方向に回動可能に配設され、座面Ｐを形成する座面部分（ここでは座面本体部５９と突出棒５８とを含んで座面部分が構成される。）であって、設置面（土表面９１）に対し該回動軸（取付棒５７）の周りに正方向（ここでは図３のように正面から見たときに反時計回り方向）に回動させると第１の回動位置（図７に示す位置。即ち、ベンチ状態である。）において更なる正方向（ここでは図３のように正面から見たときに反時計回り方向）への回動が禁止され、第１の回動位置（図７に示す位置）において設置面（土表面９１）に対し略平行な上面である座面Ｐ（図７参照）を形成すると共に、カマド部分２１の上面（ここでは第１側壁部３７ａの上面、第２側壁部３７ｂの上面、第３側壁部３７ｃの上面、後壁部３９の上面、基礎板状部３５の上面及び支持棒４５ａ、４５ｂの表面（上方から見える部分）を含んで形成される。）の少なくとも一部（ここでは全部）である覆い領域を上方から覆う（特に図７参照）ものであり、第１の回動位置（図７に示す位置）から逆方向（ここでは図３のように正面から見たときに時計回り方向）に回動させることで覆い領域の少なくとも一部（ここでは全部。図１乃至図４を参照されたい。）を上方に露出させることができる座面部分（ここでは座面本体部５９と突出棒５８とを含んで座面部分が構成される。）と、を備えてなる、ベンチである。
【００３１】
そして、本ベンチ１１においては、第１の回動位置（図７に示す位置）において更なる正方向（ここでは図３のように正面から見たときに反時計回り方向）への座面部分（ここでは座面本体部５９と突出棒５８とを含んで座面部分が構成される。）の回動が、座面部分（ここでは座面本体部５９と突出棒５８とを含んで座面部分が構成される。）がカマド部分２１に当接することにより禁止されるものである（具体的には、テーブル面（テーブル部材５９ａの両主表面のうち複数の座面形成帯材５９ｂが貼着された主表面とは反対の主表面）が、第１側壁部３７ａの上面、第２側壁部３７ｂの上面、第３側壁部３７ｃの上面及び後壁部３９の上面に当接することにより、第１の回動位置（図７に示す位置）において更なる正方向（ここでは図３のように正面から見たときに反時計回り方向）への座面部分（ここでは座面本体部５９と突出棒５８とを含んで座面部分が構成される。）の回動が禁止される。）。
また、座面部分（ここでは座面本体部５９と突出棒５８とを含んで座面部分が構成される。）が、第１の回動位置（図７に示す位置）において下面である座面部分下面（ここではテーブル面（テーブル部材５９ａの両主表面のうち複数の座面形成帯材５９ｂが貼着された主表面とは反対の主表面）である。）を有するものであり、第１の回動位置（図７に示す位置）においてカマド部分の上面（ここでは該上面を構成する第１側壁部３７ａの上面、第２側壁部３７ｂの上面、第３側壁部３７ｃの上面及び後壁部３９の上面）と座面部分下面（テーブル面（テーブル部材５９ａの両主表面のうち複数の座面形成帯材５９ｂが貼着された主表面とは反対の主表面））とが当接することで、更なる正方向（ここでは図３のように正面から見たときに反時計回り方向）への座面部分（ここでは座面本体部５９と突出棒５８とを含んで座面部分が構成される。）の回動が禁止されるものである。
【００３２】
さらに、本ベンチ１１においては、座面部分（ここでは座面本体部５９と突出棒５８とを含んで座面部分が構成される。）を、設置面（土表面９１）に対し前記回動軸（取付棒５７）の周りに逆方向（ここでは図３のように正面から見たときに時計回り方向）に回動させると第２の回動位置（図１乃至図４に示した回動位置。即ち、カマド状態である。）において更なる逆方向（ここでは図３のように正面から見たときに時計回り方向）への回動が禁止され、第２の回動位置（図１乃至図４に示した回動位置）において設置面（土表面９１）に対し略平行な平面の少なくとも一部に沿った載置面（ここでは図１乃至図４に示したテーブル面が該当する。）を形成するものである。
また、前記載置面（図１乃至図４に示したテーブル面が該当する。）が、連続した一平面を構成するものである（テーブル部材５９ａはアルミニウム製の板状部材により形成されている。）。
【００３３】
さらに、本ベンチ１１においては、座面部分（ここでは座面本体部５９と突出棒５８とを含んで座面部分が構成される。）が、座面Ｐから突出するように形成された突出部分たる突出棒５８を有するものであり、突出部分（突出棒５８）が前記第２の回動位置（図１乃至図４に示した回動位置）において設置面（土表面９１）に当接することで前記第２の回動位置（図１乃至図４に示した回動位置）において更なる逆方向（ここでは図３のように正面から見たときに時計回り方向）への回動が禁止されるものである。
そして、突出部分（突出棒５８）が、第１の回動位置（図７に示す位置）において設置面（土表面９１）に略平行な棒状部分たる中心部分５８ａを有するものである。
【００３４】
加えて、本ベンチ１１においては、覆い領域が、カマド部分２１の上面（ここでは第１側壁部３７ａの上面、第２側壁部３７ｂの上面、第３側壁部３７ｃの上面、後壁部３９の上面、基礎板状部３５の上面及び支持棒４５ａ、４５ｂの表面（上方から見える部分）を含んで形成される。）の全部である。
そして、座面部分（ここでは座面本体部５９と突出棒５８とを含んで座面部分が構成される。）を第１の回動位置（図７に示す位置）から逆方向（ここでは図３のように正面から見たときに時計回り方向）に回動させることで覆い領域の全部を上方に露出させることができるものである（例えば、図１乃至図４に示した状態では、カマド部分２１の上面の全部を上方に露出させている。）。
また、本ベンチ１１は、カマド部分２１と座面部分（ここでは座面本体部５９と突出棒５８とを含んで座面部分が構成される。）とを含んでなる本ベンチ１１を形成するための製作セットを用いて形成されてもよい（該製作セットには、第１固定柱５３と第２固定柱５５と取付棒５７とが含まれてよい。）。
【図面の簡単な説明】
【００３５】
【図１】一例の本考案のベンチ（本ベンチ）を示す斜視図である。
【図２】本ベンチを示す平面図及び右側面図である。
【図３】本ベンチを示す正面図である。
【図４】図１乃至図３に示すような状態（カマド状態）における本ベンチの使用状態を説明する図である。
【図５】座面本体部を取付棒を中心に回動させた第１状態を示す図である。
【図６】座面本体部を取付棒を中心に回動させた第２状態を示す図である。
【図７】ベンチ状態の本ベンチを示す図である。
【符号の説明】
【００３６】
１１                本ベンチ
２１                カマド部分
３１                カマド本体部分
３２ａ、３２ｂ      開口
３３ａ、３３ｂ      燃焼空間
３５                基礎板状部
３５ａ              上面
３７ａ              第１側壁部
３７ｂ              第２側壁部
３７ｃ              第３側壁部
３９                後壁部
４５ａ、４５ｂ      支持棒
４５ａ１、４５ｂ１  支持棒本体
４５ａ２、４５ｂ２  支持棒取付部
５１                テーブル座面変化部分
５３                第１固定柱
５３ａ              第１固定柱基礎部
５３ｂ              第１固定柱柱部
５５                第２固定柱
５５ａ              第２固定柱基礎部
５５ｂ              第２固定柱柱部
５７                取付棒
５８                突出棒
５８ａ              中心部分
５９                座面本体部
５９ａ              テーブル部材
５９ｂ              座面形成帯材
５９ｃ１、５９ｃ２  回動部材
９１                土表面
９３ａ、９３ｂ      鍋
９５ａ、９５ｂ      木ぎれ
９７ａ              皿
９７ｂ              コップ
９９                使用者
Ｐ                  座面
【図２】
0003124946.tif 000003
【図３】
0003124946.tif 000004
【図１】
0003124946.tif 000005
【図４】
0003124946.tif 000006
【図５】
0003124946.tif 000007
【図６】
0003124946.tif 000008
【図７】
0003124946.tif 000009